(57)【要約】【課題】縦挿し態様のキー、横挿し態様のキーのいずれにも適用できる施解錠表示キーを提供する。【解決手段】キーと、キーに装着される装置本体２５と、装置本体２５の空間部６１で重力により可動自在となる位置検出手段６５を備える外筒５１と、を具備し、キーの挿抜方向に摺動自在となって解錠表示部７７と施錠表示部７９を有するスライダー４３と、キーの挿入で装置本体２５に後退しスライダー４３を空間部６１から離反させるトリガーと、解錠表示部７７と施錠表示部７９のいずれか一方を表出させる表示窓部９７と、位置検出手段６５の移動位置に応じて空間部６１へのスライダー４３の突出を許容するとともに位置検出手段６５の移動を規制する検出・規制ボス３３を突設した内コマ４９と、を具備し、外筒５１及び内コマ４９が、キーの回動中心軸を中心に、スライダー４３に対して回転自在に連結される。【選択図】  図６
2013007238.tif 000002
【特許請求の範囲】
【請求項１】
キーと、
前記キーに装着される装置本体と、
空間部を有して前記装置本体に設けられ重力により前記空間部で可動自在となる位置検出手段を備える外筒と、
前記キーの挿抜方向に摺動自在となって前記装置本体に設けられ表面に解錠表示部と施錠表示部が前記挿抜方向に並設されるスライダーと、
前記キーの挿入でキー穴周部から受ける反力にて前記装置本体に後退し前記スライダーを前記空間部から離反する方向へ移動させるトリガーと、
前記装置本体に開口され前記解錠表示部と前記施錠表示部のいずれか一方を選択的に表出させる表示窓部と、
前記スライダーに連結され前記位置検出手段の移動位置に応じて前記空間部への該スライダーの突出を許容または阻止するとともに前記位置検出手段の移動を規制する検出・規制ボスを突設した内コマと、
を具備し、
前記外筒及び前記内コマが、前記キーの回動中心軸を中心に、前記スライダーに対して回転自在に連結されていることを特徴とする施解錠表示キー。
【請求項２】
請求項１記載の施解錠表示キーであって、
前記位置検出手段が、
前記回動中心軸と同軸で前記空間部に設けられるガイド軸と、長円環状に形成され内穴に前記ガイド軸を挿通して重力により前記空間部で可動自在となるフリコと、からなることを特徴とする施解錠表示キー。
【請求項３】
請求項１記載の施解錠表示キーであって、
前記位置検出手段が、
直線状の溝部を有し該溝部の長手方向中央部が前記回動中心軸に配置されて前記空間部で可動自在となるガイド体と、前記ガイド体の前記溝部に収容され重力により該溝部に沿って移動自在となるオモリと、からなることを特徴とする施解錠表示キー。
【請求項４】
請求項１，２，３のいずれか１つに記載の施解錠表示キーであって、
前記外筒が、該外筒と前記装置本体とに亘って設けられたクリック手段によって所定の回転角度ごとに位置保持されることを特徴とする施解錠表示キー。
【請求項５】
請求項４記載の施解錠表示キーであって、
前記外筒が、回転規制手段によって所定の回転角度範囲で回転規制されることを特徴とする施解錠表示キー。
【請求項６】
請求項１，２，３，４，５のいずれか１つに記載の施解錠表示キーであって、
前記空間部の形状が、前記キーの回動中心軸を中心に点対称に形成されることを特徴とする施解錠表示キー。
【請求項７】
請求項１〜６のいずれか１つに記載の施解錠表示キーであって、
前記キーの挿入でキー穴周部から受ける反力にて前記装置本体に後退するトリガーロックが、前記キーを挟んで前記トリガーの反対側に設けられ、
前記トリガーロックは、進出位置で前記トリガーの後退を阻止するとともに後退位置で前記トリガーの後退阻止を解除することを特徴とする施解錠表示キー。
【請求項８】
装置本体と、
空間部を有して前記装置本体に設けられ重力により前記空間部で可動自在となる位置検出手段を備える外筒と、
前記キーの挿抜方向に摺動自在となって前記装置本体に設けられ表面に解錠表示部と施錠表示部が前記挿抜方向に並設されるスライダーと、
前記キーの挿入でキー穴周部から受ける反力にて前記装置本体に後退し前記スライダーを前記空間部から離反する方向へ移動させるトリガーと、
前記装置本体に開口され前記解錠表示部と前記施錠表示部のいずれか一方を選択的に表出させる表示窓部と、
前記スライダーに連結され前記位置検出手段の移動位置に応じて前記空間部への該スライダーの突出を許容または阻止するとともに前記位置検出手段の移動を規制する検出・規制ボスを突設した内コマと、
を具備し、
前記外筒及び前記内コマが、前記キーの回動中心軸を中心に、前記スライダーに対して回転自在に連結されていることを特徴とする施解錠表示装置。
【発明の詳細な説明】
【技術分野】
【０００１】
本発明は、キー穴に挿入されたキーの回転により施錠または解錠を表示する施解錠表示キー及び施解錠表示装置に関する。
【背景技術】
【０００２】
錠装置の施解錠状態を視認可能とする表示装置や表示手段を錠装置に設けるものがある。例えば、錠内部の連動機構部を、外装ケースに設けた透孔から表示させるもの、赤や青等の着色部材の切替表示や、「施錠」・「解錠」の文字を表示するもの、或いは、電気的な手段で、内部の施解錠状態を表示するもの、センサー等を用いてライトの点灯・消灯を切替えるもの等が挙げられる。ところが、これら構成では錠装置自体を見ないことには、その施解錠状態を判断できない。そこで、キーの付属品として把持部（キーヘッド）に施解錠状態を表示するものが案出されている。
【０００３】
例えば特許文献１に開示の施錠確認表示付きキー付属品は、キーの挿入方向に対して垂直に小球が移動できる溝形状部を備え、その溝形状部内に小球を設け、かつ、キーの挿入方向に対して水平にバネにて可動する突起部と一体であるスライド板を設け、溝形状部中央部にその突起部が行き来できるスリットを設けることで、キーの開閉の際の回転で移動する小球の位置によって施錠状態が表示できるように構成している。
【０００４】
また、特許文献２に開示の施解錠表示機能付きキーは、空間に設けた複数のボール体の移動を許容し、移動するボール体を解錠位置及び施錠位置へガイドする案内溝及び保持部と係脱自在に設けられキーブランクが抜き差しされる方向に直交する方向に移動可能なスライダーを備える。キーブランクをキー穴に差し込んで施解錠操作するときのみ、スライダーが保持部との係合から解脱する一方、保持部とスライダーとによるボール体の拘束が解除され、キーブランクの回転に連動してスライダーとともにボール体が重力により落下することで、ボール体が施錠位置または解錠位置に移動して保持されるように構成している。
【先行技術文献】
【特許文献】
【０００５】
【特許文献１】特開２００６−１６９４６号公報
【特許文献２】特開２００９−２７５４１１号公報
【発明の概要】
【発明が解決しようとする課題】
【０００６】
しかしながら、キーには、挿入向きが、縦の場合（縦（垂直）挿し）と、横の場合（横（水平）挿し）とがある。また、キーには、両縁部に刻み、両面にディンプルがあり、どちら向きに挿してもよい所謂リバーシブルキーがある。さらに、キーの回転は、９０°や１８０°がある。上記した施解錠状態を視認可能とした表示装置は、特定の挿入向きのみに有効動作するものであり、それぞれの挿入向きに対応した個別の製品とする必要があった。
【０００７】
本発明は上記状況に鑑みてなされたもので、その目的は、施解錠操作をするだけで扉の施解錠状態をキーの側面に表示させる機能を、縦挿し態様のキー、横挿し態様のキーのいずれにも適用することができる施解錠表示キー及び施解錠表示装置を提供することにある。
【課題を解決するための手段】
【０００８】
次に、上記の課題を解決するための手段を、実施の形態に対応する図面を参照して説明する。
本発明の請求項１記載の施解錠表示キー１１は、キー１７と、
前記キー１７に装着される装置本体２５と、
空間部６１を有して前記装置本体２５に設けられ重力により前記空間部６１で可動自在となる位置検出手段６５を備える外筒５１と、
前記キー１７の挿抜方向に摺動自在となって前記装置本体２５に設けられ表面に解錠表示部７７と施錠表示部７９が前記挿抜方向に並設されるスライダー４３と、
前記キー１７の挿入でキー穴周部８５から受ける反力にて前記装置本体２５に後退し前記スライダー４３を前記空間部６１から離反する方向へ移動させるトリガー８３と、
前記装置本体２５に開口され前記解錠表示部７７と前記施錠表示部７９のいずれか一方を選択的に表出させる表示窓部９７と、
前記スライダー４３に連結され前記位置検出手段６５の移動位置に応じて前記空間部６１への該スライダー４３の突出を許容または阻止するとともに前記位置検出手段６５の移動を規制する検出・規制ボス３３を突設した内コマ４９と、
を具備し、
前記外筒５１及び前記内コマ４９が、前記キー１７の回動中心軸３９を中心に、前記スライダー４３に対して回転自在に連結されていることを特徴とする。
【０００９】
この施解錠表示キー１１では、キー１７がキー穴１３に差し込まれ、施解錠方向のいずれか一方に回転されると、空間部６１の位置検出手段６５が、重力の作用を受けて長手方向が鉛直方向となるように姿勢する。これにより、位置検出手段６５の姿勢のリセットがなされる。施解錠を完了させた後、キー１７をキー穴１３から引き抜くために、水平姿勢となるまで再び逆回転すると、位置検出手段６５が空間部６１に対し相対的に回転されて、所定形状に形成された空間部６１の壁体部６３に当接配置される。この状態でキー１７が水平姿勢となってキー穴１３から抜かれると、トリガー８３が突出し、同時に検出・規制ボス３３が位置検出手段６５を検出する。その結果、スライダー４３の摺動位置が表示窓部９７に対し一定の位置に配置され、解錠表示部７７または施錠表示部７９のいずれかが表示される。キー１７が縦挿しまたは横挿しであっても、キー１７の姿勢に合わせて外筒５１及び内コマ４９をスライダー４３に対して回転させることで、重力方向を同様に作用させて同様の表示が可能となる。
【００１０】
本発明の請求項２記載の施解錠表示キー１１は、請求項１記載の施解錠表示キー１１であって、
前記位置検出手段６５が、
前記回動中心軸３９と同軸で前記空間部６１に設けられるガイド軸６７と、長円環状に形成され内穴６９に前記ガイド軸６７を挿通して重力により前記空間部６１で可動自在となるフリコ７１と、からなることを特徴とする。
【００１１】
この施解錠表示キー１１では、施解錠方向のいずれか一方に回転されると、空間部６１のフリコ７１が、ガイド軸６７を中心に重力の作用を受け、長手方向を鉛直方向にして姿勢する。これにより、フリコ７１の姿勢のリセットがなされる。施解錠を完了させた後、キー１７を引き抜くために、水平姿勢となるまで再び逆回転されると、長手方向上端の内穴６９にガイド軸６７が配置され長手方向下端が自由端となっていたフリコ７１が、空間部６１に対し相対的に回転されて所定形状に形成された空間部６１の壁体部６３に当接配置される。
【００１２】
本発明の請求項３記載の施解錠表示キー１１１は、請求項１記載の施解錠表示キー１１であって、
前記位置検出手段６５が、
直線状の溝部１１９を有し該溝部１１９の長手方向中央部が前記回動中心軸３９に配置されて前記空間部６１で可動自在となるガイド体１１５と、前記ガイド体１１５の前記溝部１１９に収容され重力により該溝部１１９に沿って移動自在となるオモリ１１７と、からなることを特徴とする。
【００１３】
この施解錠表示キー１１１では、施解錠方向のいずれか一方に回転されると、溝部１１９に収容したオモリ１１７が重力の作用を受けて落下し、ガイド体１１５が、長手方向を鉛直方向にして姿勢する。これにより、ガイド体１１５の姿勢のリセットがなされる。施解錠を完了させた後、キー１７を引き抜くために、水平姿勢となるまで再び逆回転されると、長手方向下端が自由端となっていたガイド体１１５が、空間部６１に対し相対的に回転されて所定形状に形成された空間部６１の壁体部６３に当接配置される。
【００１４】
本発明の請求項４記載の施解錠表示キー１１は、請求項１，２，３のいずれか１つに記載の施解錠表示キー１１であって、
前記外筒５１が、該外筒５１と前記装置本体２５とに亘って設けられたクリック手段によって所定の回転角度ごとに位置保持されることを特徴とする。
【００１５】
この施解錠表示キー１１では、外筒５１をスライダー４３に対して回転すると、クリック手段が所定の回転角度毎に係合・係合解除を繰り返すことで、節度感が生じる。
【００１６】
本発明の請求項５記載の施解錠表示キー１１は、請求項４記載の施解錠表示キー１１であって、
前記外筒５１が、回転規制手段によって所定の回転角度範囲で回転規制されることを特徴とする。
【００１７】
この施解錠表示キー１１では、外筒５１が、装置本体２５との間に亘って設けられる回転規制手段により、例えば３６０°よりも小さい角度で回転規制される。
【００１８】
本発明の請求項６記載の施解錠表示キー１１は、請求項１，２，３，４，５のいずれか１つに記載の施解錠表示キー１１であって、
前記空間部６１の形状が、前記キー１７の回動中心軸３９を中心に点対称に形成されることを特徴とする。
【００１９】
この施解錠表示キー１１では、空間部６１の形状がキー１７の回動中心軸３９を中心に点対称に形成され、キー１７が挿入された空間部６１の形状と、この挿入に対してキー１７が１８０°回転されて挿入されたときの空間部６１の形状とが同一となる。
【００２０】
本発明の請求項７記載の施解錠表示キー１１は、請求項１〜６のいずれか１つに記載の施解錠表示キー１１であって、
前記キー１７の挿入でキー穴周部８５から受ける反力にて前記装置本体２５に後退するトリガーロックが、前記キー１７を挟んで前記トリガー８３の反対側に設けられ、
前記トリガーロックは、進出位置で前記トリガー８３の後退を阻止するとともに後退位置で前記トリガー８３の後退阻止を解除することを特徴とする。
【００２１】
この施解錠表示キー１１では、トリガーロックの突出状態では、トリガー８３の後退が規制される。トリガーロックが装置本体２５に全ストローク押し込まれることで、トリガー８３の後退規制が解除される。
【００２２】
本発明の請求項８記載の施解錠表示装置１９は、装置本体２５と、
空間部６１を有して前記装置本体２５に設けられ重力により前記空間部６１で可動自在となる位置検出手段６５を備える外筒５１と、
前記キー１７の挿抜方向に摺動自在となって前記装置本体２５に設けられ表面に解錠表示部７７と施錠表示部７９が前記挿抜方向に並設されるスライダー４３と、
前記キー１７の挿入でキー穴周部８５から受ける反力にて前記装置本体２５に後退し前記スライダー４３を前記空間部６１から離反する方向へ移動させるトリガー８３と、
前記装置本体２５に開口され前記解錠表示部７７と前記施錠表示部７９のいずれか一方を選択的に表出させる表示窓部９７と、
前記スライダー４３に連結され前記位置検出手段６５の移動位置に応じて前記空間部６１への該スライダー４３の突出を許容または阻止するとともに前記位置検出手段６５の移動を規制する検出・規制ボス３３を突設した内コマ４９と、
を具備し、
前記外筒５１及び前記内コマ４９が、前記キー１７の回動中心軸３９を中心に、前記スライダー４３に対して回転自在に連結されていることを特徴とする。
【００２３】
この施解錠表示装置１９では、施解錠表示装置１９を装着したキー１７がキー穴１３に差し込まれ、施解錠方向のいずれか一方に回転されると、空間部６１の位置検出手段６５が、重力の作用を受けて長手方向が鉛直方向となるように姿勢する。これにより、位置検出手段６５の姿勢のリセットがなされる。施解錠を完了させた後、キー１７をキー穴１３から引き抜くために、水平姿勢となるまで再び逆回転すると、位置検出手段６５が空間部６１に対し相対的に回転されて、所定形状に形成された空間部６１の壁体部６３に当接配置される。この状態でキー１７が水平姿勢となってキー穴１３から抜かれると、トリガー８３が突出し、同時に検出・規制ボス３３が位置検出手段６５を検出する。その結果、スライダー４３の摺動位置が表示窓部９７に対し一定の位置に配置され、解錠表示部７７または施錠表示部７９のいずれかが表示される。キー１７が縦挿しまたは横挿しであっても、キー１７の姿勢に合わせて外筒５１及び内コマ４９をスライダー４３に対して回転させることで、重力方向を同様に作用させて同様の表示が可能となる。
【発明の効果】
【００２４】
本発明に係る請求項１記載の施解錠表示キーによれば、施解錠操作をするだけで扉の施解錠状態をキーの側面に表示させる機能を、縦挿し態様のキー、横挿し態様のキーのいずれにも適用することができる。
【００２５】
本発明に係る請求項２記載の施解錠表示キーによれば、水平方向に配置されるガイド軸に、内穴を挿通した長円環状のフリコが支持され、フリコが重力によって鉛直方向に姿勢する作用によって、キーの回転方向ごとに空間部の形状を変えることができる。
【００２６】
本発明に係る請求項３記載の施解錠表示キーによれば、ガイド体の溝部に収容したオモリが、重力で落下する作用によって、ガイド体を空間部で可動させ、キーの回転方向ごとに空間部の形状を変えることができる。
【００２７】
本発明に係る請求項４記載の施解錠表示キーによれば、縦挿し態様のキー、または横挿し態様のキーに、適用を変更する際に、外筒の回転に伴って節度感を生じさせて、良好な切替操作性が得られる。
【００２８】
本発明に係る請求項５記載の施解錠表示キーによれば、外筒が無制限に回転してしまうことによる回転位置特定のし難さが防止でき、良好な切替操作性が得られる。
【００２９】
本発明に係る請求項６記載の施解錠表示キーによれば、位置検出手段の可動する空間部の形状が点対称となり、リバーシブルキーへの対応を可能にすることができる。
【００３０】
本発明に係る請求項７記載の施解錠表示キーによれば、トリガーロックをストローク端まで押さない限り、トリガーが作動しないので、キー単体で持ち歩いた際の誤動作を防止できる。
【００３１】
本発明に係る請求項８記載の施解錠表示装置によれば、施解錠操作をするだけで扉の施解錠状態をキーの側面に表示させる機能を、縦挿し態様のキー、横挿し態様のキーのいずれにも適用することができる。
【図面の簡単な説明】
【００３２】
【図１】本発明に係る施解錠表示キーの外観斜視図である。
【図２】キー裏面ケースを取り外した平面図である。
【図３】キーの回動中心軸を含むキー表面に垂直な断面図である。
【図４】装置本体を後部から見た正面図である。
【図５】図３におけるＡ−Ａ矢視図である。
【図６】図１に示した施解錠表示キーの要部分解斜視図である。
【図７】キー穴と施解錠表示キーを表した斜視図である。
【図８】（ａ）はキー穴が縦向きの場合のキー穴と施解錠表示キーを表した斜視図、（ｂ）は位置検出ユニットの切替例を表した斜視図である。
【図９】（ａ）はキー穴への挿入時のキーの回動中心軸を含む平断面図、（ｂ）は同側断面図、（ｃ）は（ｂ）のＢ−Ｂ断面図である。
【図１０】（ａ）は操作後のキーの回動中心軸を含む平断面図、（ｂ）は同側断面図、（ｃ）は（ｂ）のＣ−Ｃ断面図である。
【図１１】（ａ）は解錠状態を表示した際のトリガーの位置を表した平面図、（ｂ）はキー穴挿入時のトリガーの位置を表した平面図、（ｃ）は施錠状態を表示した際のトリガーの位置を表した平面図である。
【図１２】解錠表示状態から操作される施解錠表示キーの動作を（ａ）〜（ｍ）で表した動作説明図である。
【図１３】施錠表示状態から操作される施解錠表示キーの動作を（ａ）〜（ｍ）で表した動作説明図である。
【図１４】本発明に係る他の実施形態の要部分解斜視図である。
【図１５】他の実施形態において解錠表示状態から操作される施解錠表示キーの動作を（ａ）〜（ｎ）で表した動作説明図である。
【図１６】他の実施形態において施錠表示状態から操作される施解錠表示キーの動作を（ａ）〜（ｎ）で表した動作説明図である。
【図１７】本発明に係る他の実施形態の要部分解斜視図である。
【図１８】他の実施形態において施解錠表示キーの動作を示す側断面図である。
【図１９】他の実施形態において施錠表示又は解錠表示状態から操作される施解錠表示キーの動作を（ａ）〜（ｆ）で表した動作説明図である。
【発明を実施するための形態】
【００３３】
以下、本発明に係る実施形態を図面を参照して説明する。
図１は本発明に係る施解錠表示キーの外観斜視図である。
本実施形態に係る施解錠表示キー１１は、キー穴１３（図７参照）に挿入され回転により施錠または解錠する例えばシリンダ錠１５に用いられる。本発明は、キー１７を構成要件として含む施解錠表示キー１１と、キー１７を構成要件として含まない施解錠表示装置１９とのいずれの形態も含む。なお、本明細書中、キー１７の挿入方向は前、キー１７の抜去方向は後として説明する。
【００３４】
図２はキー裏面ケース２３を取り外した裏面ケース２３側から視た平面図、図３はキー１７の回動中心軸３９を含むキー表面４１に垂直な断面図である。
施解錠表示キー１１は、キー表面ケース２１と、キー裏面ケース２３と、を結合して装置本体２５が形成される。キー裏面ケース２３にはキー１７の頭部２７が保持され、頭部２７の保持されたキー１７は挿入部２９が装置本体２５から突出する。キー表面ケース２１には貫通窓３１が形成され窓部材である透明樹脂材料等からなるクリヤーウィンドゥ３５が装着される。装置本体２５の後端角部にはリングやストラップ用の穴部３７が形成される。
【００３５】
キー裏面ケース２３を取り外したキー表面ケース２１側の装置本体２５の内部中央には、コ字板状のスライダー４３（図６参照）がキー１７の長手方向に沿って摺動自在に配置される。キー１７の頭部２７は、図３に示す保持壁４５によって支持される。頭部２７とスライダー４３とは、内蓋４７によって仕切られる。スライダー４３の後方には、内コマ４９と、外筒５１とが設けられる。内コマ４９と、外筒５１との双方は、相対回転せずに継手状に軸線方向に嵌合する。内コマ４９は、摺動自在となったスライダー４３に、回転自在に連結される。外筒５１は、装置本体２５の後壁５３に穿設された貫通穴５５に回転自在に支持される。外筒５１は、軸線方向には移動規制されて貫通穴５５に支持される。内コマ４９は、挿抜検知ユニット５７の主要部材となる。外筒５１は、位置検出ユニット５９の主要部材となる。
【００３６】
図４は装置本体２５を後部から見た正面図、図５は図３におけるＡ−Ａ矢視図、図６は図１に示した施解錠表示キー１１の要部分解斜視図である。
外筒５１には図５に示す空間部６１が形成され、空間部６１は点対称に配置される扇状の壁体部６３によってこの壁体部６３を除いた一対の扇状となる。つまり、空間部６１は、キー１７の回動中心軸３９を中心に点対称に形成される。空間部６１が点対称に形成されていることで、キー１７が１８０°回転されても、空間部６１の形状が同一となる。これにより、リバーシブルキーへの対応を可能にしている。
【００３７】
図５に示すように、一対の扇状の空間部６１には、内コマ４９の後述する一対の検出・規制ボス３３が進退する。空間部６１には、重力により空間部６１で可動自在となる位置検出手段６５を備える。本実施形態において、位置検出手段６５は、キー１７の回動中心軸３９と同軸で前記空間部６１に設けられるガイド軸６７と、長円環状に形成され内穴６９にガイド軸６７を挿通して重力により空間部６１で可動自在となるフリコ７１と、からなる。
【００３８】
フリコ７１は、軸線直交断面が長円環となる略筒状に形成され、内穴６９にガイド軸６７を挿通する。これにより、フリコ７１は、重力により空間部６１で可動自在となる。フリコ７１は、ある程度の重量と摺動性が良好な材質よりなる。フリコ７１は、タングステン粉と樹脂の複合材料等の高比重樹脂等による成形品、または耐摩耗性を備えたダイキャスト用亜鉛合金等とすることが好ましい。
【００３９】
外筒５１の後端面には、図４に示す切替溝７３の形成された切替部７５が形成される。切替部７５は、図３に示すように、装置本体２５の後端面に表出する。
【００４０】
外筒５１は、装置本体２５とに亘って設けられた図示しないクリック手段によって所定の回転角度ごとに位置保持される。クリック手段は、例えば凹凸によって構成できる。外筒５１が回転されると、クリック手段が所定の回転角度毎に係合・係合解除を繰り返すことで、節度感が生じる。これにより、縦挿し態様のキー１７、または横挿し態様のキー１７に、適用を変更する際に、外筒５１の回転に伴って節度感を生じさせて、良好な切替操作性が得られる。
【００４１】
外筒５１は、図示しない回転規制手段によって所定の回転角度範囲で回転規制される。例えば３６０°よりも小さい角度、例えば９０°の範囲内で回転規制される。外筒５１が無制限に回転してしまうことによる回転位置特定のし難さが防止でき、良好な切替操作性が得られる。  
【００４２】
外筒５１、ガイド軸６７、フリコ７１は、位置検出ユニット５９を構成する。
【００４３】
スライダー４３は、キー１７の挿抜方向に摺動自在となって装置本体２５に設けられ、表面に図６に示す解錠表示部７７と施錠表示部７９が挿抜方向に並設される。これらは、例えば一つの施錠表示部７９を挟んで二つの解錠表示部７７、或いはその逆の配列であってもよい。これにより、キー１７の左右勝手に対応可能となる。スライダー４３の一対の脚部には、スライダーラック８１が形成される。
【００４４】
トリガー８３は、キー１７の挿入でキー穴周部８５（図７参照）から受ける反力にて装置本体２５に後退しスライダー４３を空間部６１から離反する方向へ移動させる。トリガー８３の後端には図２に示すトリガー用スプリング８７の先端が当接され、トリガー用スプリング８７は後端がキー表面ケース２１に立設されたバネ座８９に当接している。これにより、トリガー８３は、前側に付勢されている。トリガー８３の両側面にはトリガーラック９３が形成され、トリガーラック９３はキー裏面ケース２３にて回動自在に支持される一対のギア９５に噛合している。このギア９５には、スライダー４３のスライダーラック８１が噛合している。つまり、トリガー８３がトリガー用スプリング８７の付勢力に抗して後退されると、ギア９５の回転を介してスライダーラック８１が前側、すなわち、外筒５１の空間部６１から離反する方向へ移動されるようになっている。
【００４５】
クリヤーウィンドゥ３５には表示窓部９７が形成される。表示窓部９７は、解錠表示部７７と施錠表示部７９のいずれか一方を選択的に表出させる位置、サイズで形成されている。
【００４６】
スライダー４３には、内コマ４９が回動自在に連結される。内コマ４９の前部には連結フランジ９９が形成され、連結フランジ９９はスライダー４３の切欠部１０１に回転自在に係合する。内コマ４９には、フリコ７１の移動位置に応じて空間部６１へ突出が許容または阻止される一対の検出・規制ボス３３が後端面から突出される。検出・規制ボス３３は、内コマ４９を形状加工することにより内コマ４９と一体に形成されている。一対の検出・規制ボス３３は点対称に配置される。検出・規制ボス３３の突出先端には規制凸部１０３が突設される。規制凸部１０３よりも一段低い検出・規制ボス３３の突出先端は、当接座１０５となる。
【００４７】
スライダー４３、表示窓部９７、内コマ４９、トリガー８３は、挿抜検知ユニット５７を構成する。
【００４８】
位置検出ユニット５９と挿抜検知ユニット５７は、施解錠表示キー１１が施解錠方向のいずれか一方に回転されると、空間部６１のフリコ７１が、ガイド軸６７を中心に重力の作用を受け、長手方向が鉛直方向となって姿勢する。これにより、フリコ姿勢のリセットがなされる。施解錠を完了させた後、キー１７を引き抜くために、再び水平姿勢となるまで逆回転されると、内穴６９の長手方向上端がガイド軸６７に支持されたフリコ７１は、長手方向下端が自由端となって、空間部６１に対し相対回転されて空間部６１の壁体部６３に当接配置される。フリコ７１は、重力によって鉛直方向に姿勢する作用によって、キー１７の回転方向ごとに空間部６１の形状を変える。
【００４９】
内コマ４９の検出・規制ボス３３は、スライダー４３に連結されていることで、フリコ７１の移動位置に応じて空間部６１への突出が許容または阻止される。また、検出・規制ボス３３は、空間部６１におけるフリコ７１の移動も規制するよう働く。すなわち、空間部６１に配置されたフリコ７１は、壁体部６３と規制凸部１０３とによって挟まれて振れが規制される。
【００５０】
図５の例では、フリコ７１が、検出・規制ボス３３の突出していない部分の空間部６１に位置する。これにより、検出・規制ボス３３の当接座１０５はフリコ７１に当接しない。当接座１０５がフリコ７１に当接していない検出・規制ボス３３は、空間部６１への進入が許容される。一方、フリコ７１の向きが図１０（ｃ）に示すときには、当接座１０５がフリコ７１に当たる。当接座１０５がフリコ７１に当たった検出・規制ボス３３は、空間部６１への進入が阻止される。つまり、フリコ７１の振れ方向によって検出・規制ボス３３のスライド量が異なる。このスライド量の違いによって、スライダー４３の移動量が変化し、表示窓部９７に施錠表示部７９または解錠表示部７７の何れか一方が配置されることとなる。
【００５１】
図７はキー穴１３と施解錠表示キー１１を表した斜視図、図８（ａ）はキー穴１３が縦向きの場合のキー穴と施解錠表示キー１１を表した斜視図、（ｂ）は位置検出ユニット５９の切替例を表した斜視図である。
装置本体２５の後端面には、切替溝７３の形成された外筒５１の切替部７５が表出する。切替溝７３を、例えばマイナスドライバ等の工具を用いて、図８（ｂ）に示すように、装置本体２５の外部から回転することで、外筒５１と内コマ４９とが、スライダー４３に対して回転する。位置検出ユニット５９及び挿抜検知ユニット５７は、スライダー４３に対して一体に回転することとなる。
【００５２】
なお、切替部７５は、覆い隠すような構成にて、見えなくすることが好ましい。また、マイナスドライバ等による回転操作を、目視可能とするために、後端面と切替部７５とにマークを形成してもよい。マークは、フリコ７１の落ちる方向、重力の働く方向等とする。
【００５３】
また、施解錠表示キー１１は、キー１７を挟んでトリガー８３の反対側に、図示しないトリガーロックが配置されてもよい。トリガーロックもキー１７の挿抜方向に摺動自在となる。トリガーロックは、突出した状態で、トリガー８３に係合してトリガー８３の後退を阻止する。一方、トリガーロックが後退すると、トリガー８３の後退阻止が解除される。従って、トリガーロックをストローク端まで押さない限り、トリガー８３が作動しないので、キー単体で持ち歩いた際の誤動作を防止できる。
【００５４】
次に、上記構成を有する施解錠表示キー１１及び施解錠表示装置１９の作用を説明する。
図９（ａ）はキー穴１３への挿入時のキー１７の回動中心軸３９を含む平断面図、（ｂ）は同側断面図、（ｃ）は（ｂ）のＢ−Ｂ断面図、図１０（ａ）は操作後のキー１７の回動中心軸３９を含む平断面図、（ｂ）は同側断面図、（ｃ）は（ｂ）のＣ−Ｃ断面図である。
施解錠表示キー１１は、図９に示すように、キー穴１３に挿入されると、トリガー８３が装置本体２５に後退し、スライダー４３を、外筒５１から離反させる方向に移動させる。これにより、内コマ４９が外筒５１から抜かれ、外筒５１にはフリコ７１の可動が可能な空間部６１が形成される。
【００５５】
施解錠表示キー１１は、施解錠操作が終了した後、キー穴１３から抜かれると、図１０に示すように、トリガー８３がトリガー用スプリング８７の付勢力によって装置本体２５から突出される。すると、スライダー４３が外筒５１に接近する方向に移動され、内コマ４９の検出・規制ボス３３が空間部６１に突出される。この際、検出・規制ボス３３が空間部６１内にてフリコ７１に当接した場合には、スライダー４３の位置が異なることとなり、表示が切り替えられることとなる。
【００５６】
図１１（ａ）は解錠状態を表示した際のトリガー８３の位置を表した平面図、（ｂ）はキー穴挿入時のトリガー８３の位置を表した平面図、（ｃ）は施錠状態を表示した際のトリガー８３の位置を表した平面図である。
例えば操作前に解錠を示していた施解錠表示キー１１は、図１１（ａ）に示すように、トリガー８３が第１ストローク位置１０７となる。図１１（ｂ）に示すように、キー穴１３に挿入され、そして施錠操作が終了した後、キー穴１３から抜かれると、トリガー８３が図１１（ｃ）の第２ストローク位置１０９となり施錠を示す。
【００５７】
図１２は解錠表示状態から操作される施解錠表示キー１１の動作を（ａ）〜（ｍ）で表した動作説明図である。
施解錠表示キー１１は、図１２（ａ）（ｂ）（ｃ）に示すように、１８０°回転されても、同じ状態を保つ。解錠表示状態からの解錠操作は、図１２の（ｄ）〜（ｈ）に示される。解錠から解錠操作を行う場合、水平に施解錠表示キー１１をキー穴１３に挿入する。施解錠表示キー１１のトリガー８３が同時に押され、スライダー４３が移動し、空間部６１から検出・規制ボス３３が退去となる。これにより、フリコ７１は、ガイド軸６７に支持されたのみのフリーな状態となる。
【００５８】
施解錠表示キー１１が反時計回りに９０°回転する解錠操作が行われると、図１２（ｅ）に示すように、フリコ７１が自重で垂直に移動する。施解錠表示キー１１を抜き取り位置に戻すため、図１２（ｆ）に示す４５°時計回りに回転し、さらに図１２（ｇ）に示すように４５°時計回りに回転して水平にする。この時点では、検出・規制ボス３３は空間部６１に突出しておらず、壁体部６３とともにフリコ７１が回転する。施解錠表示キー１１が引き抜かれると、図１２（ｈ）に示すように、トリガー８３に連動するスライダー４３が空間部６１に検出・規制ボス３３を突出する。空間部６１に突出した検出・規制ボス３３は、当接座１０５がフリコ７１に当たらない。フリコ７１は、規制凸部１０３と壁体部６３とに挟まれて移動が規制され、表示窓部９７には「あけた」の解錠表示部７７が配置される（図１１（ａ）参照）。
【００５９】
一方、解錠状態から施錠操作は図１２の（ｉ）〜（ｍ）に示される。施解錠表示キー１１が時計回りに９０°回転する施錠操作が行われると、図１２（ｊ）に示すように、フリコ７１が自重で垂直に移動する。施解錠表示キー１１を抜き取り位置に戻すため、図１２（ｊ）に示した９０°位置から、図１２（ｋ）に示す４５°反時計回りに回転し、さらに図１２（ｌ）に示すように４５°時計回りに回転して水平にする。
【００６０】
この時点では、検出・規制ボス３３は突出しておらず、壁体部６３によってフリコ７１が回転する。施解錠表示キー１１が引き抜かれると、図１２（ｍ）に示すように、トリガー８３に連動するスライダー４３が空間部６１に検出・規制ボス３３を突出する。空間部６１に突出した検出・規制ボス３３は、当接座１０５がフリコ７１に当たる。フリコ７１は、規制凸部１０３と壁体部６３とに挟まれて移動が規制され、表示窓部９７には「しめた」の施錠表示部７９が配置される（図１１（ｃ）参照）。
【００６１】
図１３は施錠表示状態から操作される施解錠表示キー１１の動作を（ａ）〜（ｍ）で表した動作説明図である。
施解錠表示キー１１は、図１３（ａ）（ｂ）（ｃ）（ｄ）に示すように、１８０°回転されても、同じ状態を保つ。図１３（ｄ）に示すように、トリガー８３を触り規制が解除されても、同じ状態を保つ。施錠表示状態からの解錠操作は、図１３の（ｅ）〜（ｉ）に示される。施錠から解錠操作を行う場合、水平に施解錠表示キー１１をキー穴１３に挿入する。施解錠表示キー１１のトリガー８３が同時に押され、スライダー４３が移動し、空間部６１から検出・規制ボス３３が退去となる。これにより、フリコ７１は、ガイド軸６７に支持されたのみのフリーな状態となる。
【００６２】
施解錠表示キー１１が反時計回りに９０°回転する解錠操作が行われると、図１３（ｆ）に示すように、フリコ７１が自重で垂直に移動する。施解錠表示キー１１を抜き取り位置に戻すため、図１３（ｇ）に示す４５°時計回りに回転し、さらに図１３（ｈ）に示すように４５°時計回りに回転して水平にする。この時点では、検出・規制ボス３３は空間部６１に突出しておらず、壁体部６３にてフリコ７１が回転する。施解錠表示キー１１が引き抜かれると、図１３（ｉ）に示すように、トリガー８３に連動するスライダー４３が空間部６１に検出・規制ボス３３を突出する。空間部６１に突出した検出・規制ボス３３は、当接座１０５がフリコ７１に当たらない。フリコ７１は、規制凸部１０３と壁体部６３とに挟まれて移動が規制され、表示窓部９７には「あけた」の解錠表示部７７が配置される（図１１（ａ）参照）。
【００６３】
一方、施錠状態から施錠操作は図１３の（ｊ）〜（ｎ）に示される。施解錠表示キー１１が時計回りに９０°回転する施錠操作が行われると、図１３（ｋ）に示すように、フリコ７１が自重で垂直に移動する。施解錠表示キー１１を抜き取り位置に戻すため、図１３（ｋ）に示した９０°位置から、図１３（ｌ）に示す４５°反時計回りに回転し、さらに図１３（ｍ）に示すように４５°時計回りに回転して水平にする。
【００６４】
この時点では、検出・規制ボス３３は突出しておらず、壁体部６３にフリコ７１が乗り上げる。施解錠表示キー１１が引き抜かれると、図１３（ｎ）に示すように、トリガー８３に連動するスライダー４３が空間部６１に検出・規制ボス３３を突出する。空間部６１に突出した検出・規制ボス３３は、当接座１０５がフリコ７１に当たる。フリコ７１は、規制凸部１０３と壁体部６３とに挟まれて移動が規制され、表示窓部９７には「しめた」の施錠表示部７９が配置される（図１１（ｃ）参照）。
【００６５】
このように、施解錠表示キー１１では、キー１７がキー穴１３に差し込まれ、施解錠方向のいずれか一方に回転されると、空間部６１のフリコ７１が、重力の作用を受けて長手方向が鉛直方向となるように姿勢する。これにより、位置検出ユニット５９のリセットがなされる。施解錠を完了させた後、キー１７をキー穴１３から引き抜くために、水平姿勢となるまで再び逆回転すると、フリコ７１が空間部６１に対し相対的に回転されて、所定形状に形成された空間部６１に当接配置される。この状態でキー１７がキー穴１３から抜かれると、トリガー８３が突出し、同時に検出・規制ボス３３がフリコ７１を検出する。その結果、スライダー４３の摺動位置が表示窓部９７に対し一定の位置に配置され、解錠表示部７７または施錠表示部７９のいずれかが表示される。
【００６６】
そして、キー１７が縦挿しまたは横挿しであっても、キー１７の姿勢に合わせて位置検出ユニット５９及び挿抜検知ユニット５７を共に回転することで、重力方向を同様に作用させて同様の表示が可能となる。
【００６７】
次に、本発明に係る施解錠表示キー１１の他の実施形態を説明する。
図１４は本発明に係る他の実施形態の要部分解斜視図である。
この実施形態による施解錠表示キー１１１は、位置検出手段１１３が、ガイド体１１５と、オモリ１１７と、からなる。ガイド体１１５は、直線状の溝部１１９を有し溝部１１９の長手方向中央部が回動中心軸３９に配置されて空間部６１で可動自在となる。オモリ１１７は、ガイド体１１５の溝部１１９に収容され重力により溝部１１９に沿って移動自在となる。
【００６８】
この施解錠表示キー１１１では、解錠方向のいずれか一方に回転されると、溝部１１９に収容したオモリ１１７が重力の作用を受けて落下し、ガイド体１１５が、長手方向を鉛直方向にして姿勢する。これにより、ガイド体１１５の姿勢のリセットがなされる。施解錠を完了させた後、キー１７を引き抜くために、水平姿勢となるまで再び逆回転されると、長手方向下端が自由端となっていたガイド体１１５が、オモリ１１７の移動によって空間部６１に対し相対的に回転され、所定形状に形成された空間部６１に当接配置される。ガイド体１１５の溝部１１９に収容したオモリ１１７は、重力で落下する作用によって、ガイド体１１５を空間部６１で可動させ、キー１７の回転方向ごとに空間部６１の形状を変える。
【００６９】
図１５は他の実施形態において解錠表示状態から操作される施解錠表示キー１１１の動作を（ａ）〜（ｎ）で表した動作説明図である。
施解錠表示キー１１１は、図１５（ａ）（ｂ）（ｃ）に示すように、１８０°回転されても、同じ状態を保つ。解錠表示状態からの解錠操作は、図１５の（ｄ）〜（ｈ）に示される。解錠から解錠操作を行う場合、水平に施解錠表示キー１１１をキー穴１３に挿入する。施解錠表示キー１１１のトリガー８３が同時に押され、スライダー４３が移動し、空間部６１から検出・規制ボス３３が退去となる。これにより、ガイド体１１５は、ガイド軸６７に支持されたのみのフリーな状態となる。
【００７０】
施解錠表示キー１１１が反時計回りに９０°回転する解錠操作が行われると、図１５（ｅ）に示すように、オモリ１１７が自重で垂直に移動する。施解錠表示キー１１１を抜き取り位置に戻すため、図１５（ｆ）に示す４５°時計回りに回転し、さらに図１５（ｇ）に示すように４５°時計回りに回転して水平にする。この時点では、検出・規制ボス３３は空間部６１に突出していない。施解錠表示キー１１１が引き抜かれると、図１５（ｈ）に示すように、トリガー８３に連動するスライダー４３が空間部６１に検出・規制ボス３３を突出する。空間部６１に突出した検出・規制ボス３３は、ガイド体１１５に当たらない。ガイド体１１５は、検出・規制ボス３３と壁体部６３とに挟まれて移動が規制され、表示窓部９７には「あけた」の解錠表示部７７が配置される。
【００７１】
一方、解錠状態から施錠操作は図１５の（ｉ）〜（ｎ）に示される。施解錠表示キー１１１が時計回りに９０°回転する施錠操作が行われると、図１５（ｊ）（ｋ）に示すように、オモリ１１７が自重で垂直に移動する。ガイド体１１５の移動をオモリ１１７が助勢することになる。施解錠表示キー１１１を抜き取り位置に戻すため、図１５（ｋ）に示した９０°位置から、図１５（ｌ）に示す４５°反時計回りに回転し、さらに図１２（ｍ）に示すように４５°時計回りに回転して水平にする。
【００７２】
この時点では、検出・規制ボス３３は突出していない。施解錠表示キー１１が引き抜かれると、図１５（ｎ）に示すように、トリガー８３に連動するスライダー４３が空間部６１に検出・規制ボス３３を突出する。空間部６１に突出した検出・規制ボス３３は、ガイド体１１５の底に当たる。ガイド体１１５は、検出・規制ボス３３に当接されるとともに、壁体部６３に挟まれて移動が規制され、表示窓部９７には「しめた」の施錠表示部７９が配置される。
【００７３】
図１６は他の実施形態において施錠表示状態から操作される施解錠表示キー１１１の動作を（ａ）〜（ｎ）で表した動作説明図である。
施解錠表示キー１１は、図１６（ａ）（ｂ）（ｃ）に示すように、１８０°回転されても、同じ状態を保つ。施錠表示状態からの解錠操作は、図１６の（ｄ）〜（ｉ）に示される。施錠から解錠操作を行う場合、水平に施解錠表示キー１１１をキー穴１３に挿入する。施解錠表示キー１１１のトリガー８３が同時に押され、スライダー４３が移動し、空間部６１から検出・規制ボス３３が退去となる。これにより、ガイド体１１５は、ガイド軸６７に支持されたのみのフリーな状態となる。
【００７４】
施解錠表示キー１１１が反時計回りに９０°回転する解錠操作が行われると、図１６（ｅ）（ｆ）に示すように、ガイド体１１５がオモリ１１７の自重で垂直に移動する。施解錠表示キー１１１を抜き取り位置に戻すため、図１６（ｇ）に示す４５°時計回りに回転し、さらに図１６（ｈ）に示すように４５°時計回りに回転して水平にする。この時点では、検出・規制ボス３３は空間部６１に突出していない。施解錠表示キー１１が引き抜かれると、図１６（ｉ）に示すように、トリガー８３に連動するスライダー４３が空間部６１に検出・規制ボス３３を突出する。空間部６１に突出した検出・規制ボス３３は、ガイド体１１５の底に当たらない。ガイド体１１５は、検出・規制ボス３３と壁体部６３とに挟まれて移動が規制され、表示窓部９７には「あけた」の解錠表示部７７が配置される。
【００７５】
一方、施錠状態から施錠操作は図１６の（ｊ）〜（ｎ）に示される。施解錠表示キー１１１が時計回りに９０°回転する施錠操作が行われると、図１６（ｋ）に示すように、ガイド体１１５がオモリ１１７の自重で垂直に移動する。施解錠表示キー１１１を抜き取り位置に戻すため、図１６（ｋ）に示した９０°位置から、図１６（ｌ）に示す４５°反時計回りに回転し、さらに図１６（ｍ）に示すように４５°時計回りに回転して水平にする。
【００７６】
この時点では、検出・規制ボス３３は突出していない。施解錠表示キー１１１が引き抜かれると、図１６（ｎ）に示すように、トリガー８３に連動するスライダー４３が空間部６１に検出・規制ボス３３を突出する。空間部６１に突出した検出・規制ボス３３は、ガイド体１１５の底に当たる。ガイド体１１５は、検出・規制ボス３３に当接されるとともに、壁体部６３に挟まれて移動が規制され、表示窓部９７には「しめた」の施錠表示部７９が配置される。
【００７７】
従って、本実施形態に係る施解錠表示キー１１及び施解錠表示装置１９によれば、施解錠操作をするだけで施解錠状態をキー１７の側面に表示させる機能を、縦挿し態様のキー１７、横挿し態様のキー１７のいずれにも適用することができる。
【００７８】
また、本実施の形態に係る施解錠表示装置１９によれば、キー１７と別体に構成されて装着されるので、キー１７に二次加工を施さずに、既存のキー１７を原型のまま使用して、表示機能を付加することができる。
【００７９】
図１７は本発明に係る他の実施形態の要部分解斜視図、図１８は他の実施形態において施解錠表示キーの動作を示す側断面図、図１９は他の実施形態において施錠表示又は解錠表示状態から操作される施解錠表示キーの動作を（ａ）〜（ｆ）で表した動作説明図である。
なお、上記各実施形態では、位置検出手段として、フリコ７１にて構成される位置検出手段６５や、ガイド体１１５とオモリ１１７とからなる位置検出手段１１３について説明したが、この他、本発明は、位置検出手段１２５、図１７に示すような従来文献と同様な両端に膨出部分を具備する鉄アレイ形状の錘１２１で構成されるものであっても良い。
【００８０】
この実施の形態の施解錠表示キーでは、中央部分が括れた略四角形状の空間部６１内に、錘１２１が摺動自在に設けられており、この錘１２１が空間部６１内において重力の作用で移動し、空間部６１内に対して進退する一対のボス３３が、この錘１２１の位置を検出する。空間部６１には、四隅のうちの対角位置となる２つの各位置に貫通穴１２３がそれぞれ穿設されており、それぞれにボス３３が貫通可能となっている。このような構成によれば、上述した実施形態と同様に、キー１７をキー穴１３に挿入することでスライダー体１２７が移動し、これにより一対のボス３３が移動して空間部６１より退去し、錘１２１がフリーとなった状態で施解錠表示キーによる施錠或いは解錠操作が行われると、空間部６１内で自重によって錘１２１が移動し、例えば図１９（ａ）に示した錘１２１が右下側に寄った状態から時計回りに９０°回転した場合（図１９（ｂ）参照）には、錘１２１の位置は変わらず、施解錠表示キーを抜き取り位置に戻すために図１９（ｃ）に示す位置へ回転させても初期の状態である。一方反時計回りに９０°回転した場合（図１９（ｄ）参照）、錘１２１は端部の膨出部分の自重によって傾き、図１９（ｅ）に示すように別の隅部分へ移動となる。なお、図１９（ｆ）に示すように、施解錠表示キーを１８０°回転させても同じ状態を保つ。そして、図１９（ａ）に示す錘１２１の位置が上記貫通穴１２３に対応する位置とすると、ボス３３が貫通穴１２３に挿着とならず、図１８（ａ）に示すようにスライダー４３が空間部６１より離間する位置となり、また図１９（ｅ）に示す錘１２１の位置では、図１８（ｂ）に示すようにボス３３が貫通穴１２３に嵌挿する位置となり、すなわちストローク１０８の差を生成し、上述の各実施形態と同様に表示窓部９７に対してそれぞれの表示部（７７，７９）が配置されることとなる。このような構成によれば、錘１２１が空間部６１内を移動自在な構成とされ、重力による錘１２１の移動によって位置検出が行われるものであり、図１８に示すようにスライダー体１２７とスライダー４３とを回転自在に連結させることで、位置検出手段１２５とスライダー４３とが回転自在となって上記各実施形態と同様の効果を得られるものである。なお、この実施形態においては、位置検出手段１２５の施解錠表示キーとして構成する配置位置について、上述した各実施形態と同様に後端部分に構成されるものであるが、スライダー４３に対する連結部分にて外装部分を含めて回転可能な構成としても良く、すなわち前後２分割構造として回転自在な連結部にて連結し、互いに回転させることで上述のように縦挿し態様のキー或いは横挿し態様のキーに適用可能とする構造としても良い。この場合、上述のような工具を使用することなく回転が可能な構成とすることもできる。
【００８１】
さらに、上述した各実施形態にて、位置検出手段の構成を、重力により空間部６１内を移動する部材が１つの部材で構成される例について述べたが、空間部内を移動自在な２つの球体で構成される構造としても良く、施解錠表示キーの操作に応じて、空間部に形成された案内溝に沿ってボール体が重力により移動し、施錠状態或いは解錠状態となる位置のいずれかの位置決め溝に移動して、その状態が保持されるよう構成されるものでも良く、この構成部分をユニットとしスライダー４３に対して回転自在に連結する構成とすれば、上述した各実施形態と同様の効果を得ることができる。
【００８２】
また、位置検出手段の構成では、その他の形状として構成するものなど、重力によって空間部６１内を移動し位置検出が行えるものであれば、その形状や機構については限定されるものではない。
【符号の説明】
【００８３】
１１…施解錠表示キー
１７…キー
１９…施解錠表示装置
２５…装置本体
３３…検出・規制ボス
３９…回動中心軸
４３…スライダー
４９…内コマ
５１…外筒
６１…空間部
６５…位置検出手段
６７…ガイド軸
６９…内穴
７１…フリコ
７７…解錠表示部
７９…施錠表示部
８３…トリガー
８５…キー穴周部
９７…表示窓部
１１５…ガイド体
１１７…オモリ
１１９…溝部
【図１】
2013007238.tif 000003
【図２】
2013007238.tif 000004
【図３】
2013007238.tif 000005
【図４】
2013007238.tif 000006
【図５】
2013007238.tif 000007
【図６】
2013007238.tif 000008
【図７】
2013007238.tif 000009
【図８】
2013007238.tif 000010
【図９】
2013007238.tif 000011
【図１０】
2013007238.tif 000012
【図１１】
2013007238.tif 000013
【図１２】
2013007238.tif 000014
【図１３】
2013007238.tif 000015
【図１４】
2013007238.tif 000016
【図１５】
2013007238.tif 000017
【図１６】
2013007238.tif 000018
【図１７】
2013007238.tif 000019
【図１８】
2013007238.tif 000020
【図１９】
2013007238.tif 000021